(57)【特許請求の範囲】
【請求項１】
便座の外側に便座の形状に沿って設けられるガイド部と、常時は便座の奥側に左右一対状に配置され、洗浄時に上記のガイド部に案内されて便座の奥側と前側との間を移動し、便座の上面に洗浄液を吹き付ける一対のノズルと、この一対のノズルを便座の奥側と前側との間で移動させる駆動機構とを備え、この駆動機構が、ノズルを便座の奥側に常時牽引するバネ部材を有する引き戻し機構と、この引き戻し機構のバネ部材の牽引力に抗してノズルを便座の前側に移動させるため、ガイド部内に摺動自在に納められているノズルの基部に押圧力を加える圧力源とを備えて形成されていることを特徴とする便座洗浄装置。
【請求項２】
請求項１記載の便座洗浄装置と、この装置のガイド部に閉蓋時に係合する便蓋とを備えてなる便器であって、便蓋の裏面に、便座洗浄装置のガイド部に係合して、ノズルから吹き出る洗浄液が外部に漏出するのを防止する水漏れ防止部が形成されていることを特徴とする便器。
【発明の詳細な説明】
【技術分野】
【０００１】
本発明は便座洗浄装置に関し、更に詳しくは洋式便器の便座を洗浄できるよう形成した便座洗浄装置、及びこれを備えてなる便器に関するものである。
【背景技術】
【０００２】
ところで洋式便器は、便座に座って用を足すため、他人が使用した後の便座に座るのに抵抗感を持つことがある。このため、従来、この種の便器を使用する場合は、紙で便座を吹いたり、或いは使い捨て式の便座カバーを用いることがあった。
而して、この種の問題を解消する従来品としては、例えば特許文献１、同２に記載されているものがある。特許文献１に記載の従来品は、便蓋の裏側の便座と対応する位置に、ガイドレールを設け、このガイドレールに便座を清掃する清掃具を取り付け、この清掃具をガイドレールで案内して便座を一周させ、便座の上面を清掃するように形成しているものである。
また特許文献２に記載の従来品は、便蓋の裏側に、噴射ノズルを設け、このノズルから洗浄液等を噴射して便座を洗浄するように形成しているものである。
【０００３】
而して、特許文献１の従来品は、清掃具で便座を拭く構造のため、清掃具自体を定期的に綺麗にしたり、新品と交換する必要があった。従ってこの従来品によると、この種の作業に手間暇やメンテナンスのコストがかかる、という問題点があった。
またこの従来品の場合は、清掃具を便座に沿って一周させる構造であった。従ってこれによると、清掃作業に時間がかかるのを避けられなかった。
また特許文献２の従来品は、ノズルを便蓋の裏側に、便座の形状に合わせて多数設ける必要があった。従ってこれによると、部品コストが増加し、また便蓋を開いて起立状に配置すると、ノズルが露出して体裁が悪いものであった。
【特許文献１】特開平８−２０６０３５号公報
【特許文献２】特開２００５−２６１８８０号公報
【発明の開示】
【発明が解決しようとする課題】
【０００４】
本発明は、このような従来品の問題点に鑑み、提案されたものである。
従って本発明の解決しようとする技術的課題は、掃除具の取替え等の問題を一掃でき、簡単、迅速に便座を洗浄できると共に、便蓋を開いたとき蓋の裏側のノズルで便器の美感が害されることを防止できるよう形成した便座洗浄装置、及びこの種の問題を解消できる便器を提供することにある。
【課題を解決するための手段】
【０００５】
本発明は、上記の課題を解決するため、次のような技術的手段を採る。
即ち本発明は、図１等に示されるように、便座１の外側に便座１の形状に沿って設けられるガイド部２と、常時は便座１の奥側に左右一対状に配置され、洗浄時に上記のガイド部２に案内されて便座１の奥側と前側との間を移動し、便座１の上面に洗浄液を吹き付ける一対のノズル３と、この一対のノズル３を便座１の奥側と前側との間で移動させる駆動機構４とを備え、この駆動機構４が、ノズル３を便座１の奥側に常時牽引するバネ部材４１ａを有する引き戻し機構４１と、この引き戻し機構４１のバネ部材４１ａの牽引力に抗してノズル３を便座１の前側に移動させるため、ガイド部２内に摺動自在に納められているノズル３の基部３ａに押圧力を加える圧力源４２とを備えて形成されていることを特徴とする（請求項１）。
【０００６】
ここで、洗浄液としては、例えば水、湯、洗浄剤入りの水などの液体があるが、これには蒸気も含まれる。
【０００７】
本発明の場合は、駆動機構４が上記のように構成されているから、これによると、駆動機構４の構成を簡単化、低コスト化できる。圧力源４２としては、例えばポンプ、ブロワ、エアポンプ等がある。
【０００８】
また本発明の便器５としては、図４、図５に示されるように、請求項１記載の便座洗浄装置と、この装置のガイド部２に閉蓋時に係合する便蓋１１とを備えてなる便器５であって、便蓋１１の裏面に、便座洗浄装置のガイド部２に係合して、ノズル３から吹き出る洗浄液が外部に漏出するのを防止する水漏れ防止部１２が形成されていることを特徴とするものがある（請求項２）。
【０００９】
この本発明の便器５によれば、便座１を洗浄でき、ノズル３から吹き出る洗浄液の飛散や漏出を便蓋１１で防止でき、周りを汚すことを防止できる。水漏れ防止部１２は、具体的にはガイド部２の所定箇所に嵌合させたり、係合させることで実現される。この場合、水漏れ防止部１２が密着するよう、水漏れ防止部１２又はガイド部２の接触部にはパッキンが設けられるのが良い。
【発明の効果】
【００１０】
本発明は、このように便座の外側に便座の形状に沿って設けられるガイド部と、常時は便座の奥側に左右一対状に配置され、洗浄時に上記のガイド部に案内されて便座の奥側と前側との間を移動し、便座の上面に洗浄液を吹き付ける一対のノズルと、この一対のノズルを便座の奥側と前側との間で移動させる駆動機構とを備え、この駆動機構が、ノズルを便座の奥側に常時牽引するバネ部材を有する引き戻し機構と、この引き戻し機構のバネ部材の牽引力に抗してノズルを便座の前側に移動させるため、ガイド部内に摺動自在に納められているノズルの基部に押圧力を加える圧力源とを備えて形成されているものである。
従って本発明によれば、便座を綺麗に洗浄、掃除できるだけではなく、従来品では必要とした掃除具の取替え等の煩わしさを一掃できる。また本発明は、一対のノズルで便座の左右側を同時に半分づつ洗浄できるから、これによれば、迅速に効率良く掃除できる。更に本発明は、便蓋の裏側にノズルを多数形成する構造ではないから、これによれば、便蓋を開いて起立状に配置しても、便蓋の裏側が使用者に不快感や違和感を与えることがない。
【００１１】
また本発明の便器は、上記のように構成されているから、これによれば、掃除具の取替え等の煩わしさを伴うことなく、また便蓋の裏側が使用者に不快感等を与えることなく、迅速に効率良く便座を洗浄できる。
また本発明の便器は、便蓋の裏側に水漏れ防止部が設けられているから、これによると便座の洗浄時に洗浄液が漏れ出ることを防止できる。
【発明を実施するための最良の形態】
【００１２】
以下、本発明を実施するための最良の形態を説明する。
図１等において、１は便座であり、２はこの便座１の外側に便座１の形状に沿って設けられているガイド部である。このガイド部２は、断面方形の角パイプ状に形成され、平面視で略馬蹄形に形成されている。
【００１３】
３は、常時は便座１の奥側に左右一対状に配置され、洗浄時に上記のガイド部２に案内されて便座１の奥側と前側との間を移動し、便座１の上面に洗浄液を吹き付ける一対のノズルである。このノズル３の下端の基部３ａは、上記のガイド部２内に摺動自在に納められている。３ｂは、この基部３ａ内に連通すると共に、基部３ａの上面に連起立状に設けられているパイプ状の支柱である。ノズル３は、この支柱３ｂの上端に下向きに設けられている。またノズル３の上側には、ノズル３から噴出する洗浄液の跳ね返りや飛散を防止するための笠状のカバー３ｃが設けられている。なお、ノズル３の基部３ａは、摺動時の摩擦抵抗が小さくなるよう、ガイド部２との接触面に、転がり軸受け３ｄを備えて形成されている。また上記のガイド部２の上面には、図４、図５に示されるように、支柱３ｂを案内するスリット２ａが形成されている。
【００１４】
４（図１、図３参照）は、一対のノズル３を便座１の奥側と前側との間で移動させる駆動機構である。この駆動機構４は、ノズル３を便座１の奥側に常時牽引するバネ部材４１ａを有する引き戻し機構４１と、この引き戻し機構４１のバネ部材４１ａの牽引力に抗してノズル３を便座１の前側に移動させるためガイド部２内のノズル３の基部３ａに押圧力を加える圧力源４２とを備えて形成されている。
【００１５】
上記のバネ部材４１ａは、巻きバネ状に形成され、内端が軸４１ｂに固定されて軸４１ｂに巻回されている。軸４１ｂは、便座１の奥側の適宜箇所に横向きに枢着されている。また４１ｃは、バネ部材４１ａの外端に一端が固定されている牽引紐である。この牽引紐４１ｃの他端は、ノズル３の基部３ａの適宜位置に固定されている。引き戻し機構４１は、このように軸４１ｂに内端が固定されているバネ部材４１ａと、このバネ部材４１ａの外端に一端が固定され、他端がノズル３の基部３ａに固定されている牽引紐４１ｃとを備えて構成されている。
【００１６】
また上記の圧力源４２は、この実施形態ではポンプであり、便器５の後側のボックス６内に収納されている。圧力源４２としてのポンプから洗浄液としての例えば水又は湯が、ガイド部２内を通ってノズル３の基部３ａに供給されると、基部３ａは、洗浄液の押圧力でガイド部２内を便座１の前側に向かって移動する。また同時に洗浄液が、基部３ａ内から支柱３ｂの内部を介してノズル３に導かれ、ノズル３から噴出して便座１を洗浄する。
【００１７】
７（図４、図５参照）は、便座１から流れ落ちる水を、便器５内に導くための導水部材である。この導水部材７は、この実施形態ではガイド部２に接続されて面状に形成され、便座１が係止する便器５の上端面に、便器５内に庇状に延ばされて設けられている。
【００１８】
なお、便座１の前側にあたるガイド部２の適宜位置には、前側に移動するノズル３によってオンになるセンサ８（図２参照）が設けられている。９（図１参照）は、マイコン等のコントローラである。また１０は、洗浄液で便座１を洗浄後、便座１を乾燥仕上げするための熱風を洗浄液と同じルートでノズル３から便座１に吹き付けるための熱風供給装置である。この熱風供給装置１０は、送風機１０ａとヒータ１０ｂとを備え、ボックス６内に設けられている。
【００１９】
而して本発明の便器５は、上記の便座洗浄装置と、この装置のガイド部２に閉蓋時に係合する便蓋１１とを備えて形成されている。また本発明の便器５は、図４等に示されるように、便蓋１１の裏面に、便座洗浄装置のガイド部２に係合して、ノズル３から吹き出る洗浄液が外部に漏出するのを防止する水漏れ防止部１２が形成されている。
【００２０】
上記の便蓋１１は、横軸１３（図４参照）を中心に前後方向に回動して開閉自在に形成されている。また水漏れ防止部１２は、図４、図５に示されるように、この実施形態ではガイド部２の立ち上がり部２ｂの拡大上端部２ｂ１に嵌合可能になるよう、下面を開口した凹溝状に形成され、便蓋１１の周囲に連続して形成されている。
【００２１】
次にこの実施形態に係る本発明の装置、及び便器５の作用を、図面に従って説明する。
先ず使用者は、便蓋１１を閉じ、圧力源４２としてのポンプのスイッチを入れる。これによりポンプが駆動し、引き戻し機構４１のバネ部材４１ａの牽引力に抗して、水圧がノズル３の基部３ａに加わる。この結果、左右一対のノズル３が、ガイド部２に案内されて便座１の奥側から、前側に向かって移動する。
【００２２】
同時に、洗浄液としての例えば水が、基部３ａから支柱３ｂ内を流れてノズル３から噴出し、便座１の上面に吹き付けられ、便座１の上面が洗浄される。なお、ノズル３から吹き出る洗浄液は、便蓋１１の裏面の水漏れ防止部１２により、外部への漏出が防止され、便器５内に回収される。また便座１から落下する水は、導水部材７によって便器５内に流れ込み、排水される。
【００２３】
而してノズル３が、便座１の前側に至ると、例えばセンサ８からの検出信号を受け、ポンプが停止する。するとバネ部材４１ａの牽引力により、ノズル３がガイド部２に案内されて便座１の奥側に引き戻される。この実施形態の場合、ノズル３の往復する回数や移動速度等は、コントローラ９に予め設定することで制御される。また洗浄液の吹き付け後、熱風供給装置１０の送風機１０ａが駆動し、ヒータ１０ｂで加温された熱風が、ガイド部２、基部３ａ、支柱３ｂを介してノズル３に供給され、ノズル３から便座１の上面に吹き付けられる。これにより、便座１が迅速に乾燥仕上げされる。
【図面の簡単な説明】
【００２４】
【図１】本発明の装置及び便器の好適な一実施形態を示す要部平面図である。
【図２】同上装置及び便器の要部側面図である。
【図３】同上装置及び便器の要部側面図である。
【図４】同上装置及び便器の要部斜視図である。
【図５】同上装置及び便器の要部断面図である。
【符号の説明】
【００２５】
１      便座
２      ガイド部
３      ノズル
３ａ 基部
４      駆動機構
４１ 引き戻し機構
４１ａ バネ部材
４２ 圧力源
【要約】
【課題】  掃除具の取替え等の問題を一掃でき、簡単、迅速に便座を洗浄できると共に、便蓋を開いたとき蓋の裏側のノズルで便器の美感が害されることを防止できるようにする。
【解決手段】  便座１の外側に便座１の形状に沿って設けるガイド部２と、常時は便座１の奥側に左右一対状に配置し、洗浄時に上記のガイド部２に案内されて便座１の奥側と前側との間を移動し、便座１の上面に洗浄液を吹き付ける一対のノズル３と、この一対のノズル３を便座１の奥側と前側との間で移動させる駆動機構４とを備えて形成する。
【選択図】      図１【図１】
0004249245.tif 000002
【図２】
0004249245.tif 000003
【図３】
0004249245.tif 000004
【図４】
0004249245.tif 000005
【図５】
0004249245.tif 000006